(57)【特許請求の範囲】
【請求項１】
天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記電気部品取付台および前記外郭形成体を前記取付ボルトにそれぞれ吊り下げることにより、前記外郭形成体の天部の外面または内面に前記電気部品取付台を密接するとともに、前記外郭形成体の下端部を前記天井面に密接して天井内外を密閉することを特徴とする埋め込み型照明器具。
【請求項２】
天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記電気部品取付台および前記外郭形成体を前記取付ボルトにそれぞれ吊り下げるとともに前記電気部品取付台と前記外郭形成体とを本体取付用ボルトにより相連結して前記外郭形成体の天部の外面に前記電気部品取付台を密接しかつ前記外郭形成体の下端部を前記天井面に密接して天井内外を密閉する埋め込み型照明器具。
【請求項３】
前記天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記電気部品取付台は取付ナット付き本体取付用ボルトを垂下するとともに前記取付ボルトに吊り下げられ、前記外郭形成体は天部が前記取付ナット付き本体取付用ボルトにより前記電気部品取付台に取付けられることにより密接するとともに前記外郭形成体の下端部を天井面に密接して天井内外を密閉するものであり、前記天部は、前記電気部品取付台を取付けた前記取付ボルトおよび前記取付ボルトに螺合するナットを貫通可能であって前記外郭形成体の回転方向に延びた長孔からなる貫通穴と、前記本体取付用ボルトおよび前記取付ナットに貫通可能な大径穴部を形成するとともに前記大径穴部に前記本体取付用ボルトを挿通した状態で前記外郭形成体を回転することにより前記本体取付用ボルトを挿通可能で前記取付ナットに係合可能な小径穴部を形成しただるま穴とを有する埋め込み型照明器具。
【請求項４】
天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記外郭形成体は前記取付ボルトを挿通するボルト貫通穴が形成された天部を有し前記取付ボルトに螺合するナットにより前記天部が前記取付ボルトに取付けられるとともに前記外郭形成体の下端部を天井面に密接し、前記電気部品取付台は前記取付ボルトおよび前記ナットを遊嵌する遊嵌穴を有し、前記外郭形成体の前記天部の内面側に本体取付用ボルトにより取付けられることにより密接して天井内外を密閉する埋め込み型照明器具。
【請求項５】
天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記電気部品取付台は電気部品取付用の天部を有し前記取付ボルトに吊り下げられる下端開口の筒状であり、前記外郭形成体は前記下端開口に嵌合し連結する上端開口と下端に開口部を有する筒状であって前記開口部に天井材と密接するつば部を有して天井内外を密閉する埋め込み型照明器具。
【請求項６】
前記電気部品取付台は前記外郭形成体の外側にある安定器ボックスの取付台であり、前記安定器ボックスを着脱自在に取付けている請求項１、請求項２、請求項３、請求項４または請求項５記載の埋め込み型照明器具。
【請求項７】
前記外郭形成体は前記天部に下方に突出して前記取付ボルトを引き込みガイドする円錐状の凸部を有し、その底部に取付ボルト貫通部を形成している請求項１、請求項２記載の埋め込み型照明器具。
【発明の詳細な説明】
【０００１】
【発明の属する技術分野】
この発明は、照明器具に関するものである。
【０００２】
【従来の技術】
従来、例えば図９８および図９９に示すように、耐塵機能を満足するために器具本体５００を箱体の密閉構造にし、ボルト吊り用の穴５０１が本体天面に開いた埋め込み型照明器具がある。５０２は反射板、５０３はランプソケット、５０４はランプ、５０５は安定器である。
【０００３】
またこのような器具において、ＨＩＤランプ使用の高天井用には、ランプ交換等のメンテナンス性を考慮したオートリフタ内蔵タイプや、天井裏でランプ交換可能なタイプがある。また、省施工型として安定器内蔵のタイプもある。
【０００４】
【発明が解決しようとする課題】
昨今の食中毒事件の多発により、食料品工場の衛生管理体制の強化が推進されている。また、１９９５年の食品衛生法の一部改正により、ＨＡＣＣＰシステム（Ｈａｚａｒｄ  Ａｎａｌｙｓｉｓ  Ｃｒｉｔｉｃａｌ  ＣｏｎｔｒｏＩ  Ｐｏｉｎｔ  Ｓｙｓｔｅｍ）による食品の衛生管理方法が、わが国の食品衛生規則の一手法として法律的に位置付けられた。
【０００５】
今後、ＨＡＣＣＰの概念を取り入れた衛生管理の手法を導入していく企業が増加していくことが予想される。
【０００６】
以上のことより、食品工場の衛生管理体制を確立できる照明設備が市場で要求されている。
【０００７】
食品工場で要求される照明器具の機能は以下の点がある。
【０００８】
１）挨がたまりにくいクリーン設計
２）万が一のためのパネルの飛散防止
３）清掃を考慮した耐薬品性
その中で、特に厳しい衛生管理が求められる食品工場のエリアでは、挨の照明器具への付着やメンテナンス時の照明器具内部の挨の工場内への落下が大きな問題となるため、挨がたまりにくいクリーン設計が非常に重要な機能となってくる。
【０００９】
よって、挨が付着しにくく、照明器具内部への挨の進入がない耐塵機能を満足することが、食品工場用の照明器具には不可欠となる。
【００１０】
このような背景を考慮して器具本体を密閉することにより防塵型の構造をとるとなると、高天井用の器具では器具重量が増大して施工が極めて困難となる。
【００１１】
したがって、この発明の目的は、密閉型の防塵構造をとりながら、重量物の器具でも取り扱い重量が軽減され、ボルトの引き込みが容易となり、施工性が改善できる照明器具を提供することである。
【００１２】
【課題を解決するための手段】
請求項１記載の埋め込み型照明器具は、天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記電気部品取付台および前記外郭形成体を前記取付ボルトにそれぞれ吊り下げることにより、前記外郭形成体の天部の外面または内面に前記電気部品取付台を密接するとともに、前記外郭形成体の下端部を前記天井面に密接して天井内外を密閉することを特徴とするものである。
【００１３】
請求項１記載の埋め込み型照明器具によれば、器具本体に電気部品を配設した電気部品取付台と外郭形成体との２パーツから構成することにより、密閉型の防塵構造をとりながら、重量物の器具でも取り扱い重量が軽減され施工性が改善される。
【００１４】
請求項２記載の埋め込み型照明器具は、天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記電気部品取付台および前記外郭形成体を前記取付ボルトにそれぞれ吊り下げるとともに前記電気部品取付台と前記外郭形成体とを本体取付用ボルトにより相連結して前記外郭形成体の天部の外面に前記電気部品取付台を密接しかつ前記外郭形成体の下端部を前記天井面に密接して天井内外を密閉するものである。
【００１５】
請求項２記載の埋め込み型照明器具によれば、請求項１と同様な効果があるほか、電気部品取付台の上面側に係合する取付ボルトのストッパナットが不要になる。
【００１６】
請求項３記載の埋め込み型照明器具は、前記天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記電気部品取付台は取付ナット付き本体取付用ボルトを垂下するとともに前記取付ボルトに吊り下げられ、前記外郭形成体は天部が前記取付ナット付き本体取付用ボルトにより前記電気部品取付台に取付けられることにより密接するとともに前記外郭形成体の下端部を天井面に密接して天井内外を密閉するものであり、前記天部は、前記電気部品取付台を取付けた前記取付ボルトおよび前記取付ボルトに螺合するナットを貫通可能であって前記外郭形成体の回転方向に延びた長孔からなる貫通穴と、前記本体取付用ボルトおよび前記取付ナットに貫通可能な大径穴部を形成するとともに前記大径穴部に前記本体取付用ボルトを挿通した状態で前記外郭形成体を回転することにより前記本体取付用ボルトを挿通可能で前記取付ナットに係合可能な小径穴部を形成しただるま穴とを有するものである。
【００１７】
請求項３記載の埋め込み型照明器具によれば、請求項２と同様な効果がある。
【００１８】
請求項４記載の埋め込み型照明器具は、天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記外郭形成体は前記取付ボルトを挿通するボルト貫通穴が形成された天部を有し前記取付ボルトに螺合するナットにより前記天部が前記取付ボルトに取付けられるとともに前記外郭形成体の下端部を天井面に密接し、前記電気部品取付台は前記取付ボルトおよび前記ナットを遊嵌する遊嵌穴を有し、前記外郭形成体の前記天部の内面側に本体取付用ボルトにより取付けられることにより密接して天井内外を密閉するものである。
【００１９】
請求項４記載の埋め込み型照明器具によれば、請求項２と同様な効果がある。
【００２０】
請求項５記載の埋め込み型照明器具は、天井面に設けた埋め込み穴に、電気部品を装備しかつ内外を防塵可能に密閉した器具本体を埋め込んで、取付ボルトに取り付ける埋め込み型照明器具において、前記器具本体を、前記電気部品を配設した電気部品取付台と、この電気部品取付台に密接する外郭形成体とから構成し、前記電気部品取付台は電気部品取付用の天部を有し前記取付ボルトに吊り下げられる下端開口の筒状であり、前記外郭形成体は前記下端開口に嵌合し連結する上端開口と下端に開口部を有する筒状であって前記開口部に天井材と密接するつば部を有して天井内外を密閉するものである。
【００２１】
請求項５記載の埋め込み型照明器具によれば、請求項２と同様な効果のほか、天井材が張られる前に電気部品取付台を仮施工でき、外郭形成体はつば部を有する軽量物であるため施工性が改善される。とくに埋め込み穴が小さく器具本体の高さが大きい場合に有効である。
【００２２】
請求項６記載の埋め込み型照明器具は、請求項１、請求項２、請求項３、請求項４または請求項５において、前記電気部品取付台は前記外郭形成体の外側にある安定器ボックスの取付台であり、前記安定器ボックスを着脱自在に取付けているものである。
【００２３】
請求項６記載の埋め込み型照明器具によれば、請求項１、請求項２、請求項３、請求項４または請求項５と同様な効果のほか、天井裏からランプ交換することが可能になる。
【００２４】
請求項７記載の埋め込み型照明器具は、請求項１または請求項２において、前記外郭形成体は前記天部に下方に突出して前記取付ボルトを引き込みガイドする円錐状の凸部を有し、その底部に取付ボルト貫通部を形成しているものである。
【００２５】
請求項７記載の埋め込み型照明器具によれば、請求項１または請求項２と同様な効果のほか、凸部が取付ボルトの引き込みのガイドの機能をもつ。
【００２６】
【発明の実施の形態】
この発明の第１の実施の形態を図１から図４により説明する。すなわち、この埋め込み型照明器具は、灯具昇降器であるオートリフタ１を内蔵したＨＩＤランプ用埋め込み型照明器具である。この照明器具は、器具本体が電気部品を取付けた電気部品取付台であるオートリフタ付取付台２と、外郭形成体である筒状の本体３と、灯具４から構成される。
【００２７】
オートリフタ付取付台２には例えば長孔のボルト取付用穴５を２ケ所備え、ボルト貫通部の隙間がないように、パッキン６を備える。
【００２８】
本体３は筒状で、天面部にはボルト貫通穴７とオートリフタ昇降部１８が貫通する穴８を備え、開口部９には天井材１０と当接係止する下端突出部であるつば部１１を備える。つば部１１と天面外周部外側全周囲にパッキン１２、１３を備える。
【００２９】
灯具４は、ランプソケット２０と、そのソケット台２１と、反射板２２と、ランプ２３と、ソケット台２１および反射板２２を取付ける接続具２４を備え、開口部９に位置する反射板２２の開口に枠部１５を備え、開口部９に枠部１５に支持されたガラスパネル１４を備え、枠部１５とガラスパネル１４はパッキン１６により密閉されており、枠部内部外周全周囲にもパッキン１７を備える。
【００３０】
施工は、まず、器具施工完成状態におけるオートリフタ付取付台２の位置を確認し、ストッパーナット２５を、天井躯体に取付けられたボルト２６に取り付ける。オートリフタ付取付台２をボルト２６に通しパッキン１３を介しナット２７で天井裏に固定する。器具本体１０を埋め込み穴１０ａに挿入し、オートリフタ付取付台２を取り付けたボルト２６を本体天面のボルト貫通穴７に通して、器具本体３のつば部１１が天井材１０にパッキン１２を介して密着するようにナット３０で取り付ける。器具本体３を取り付けるナット３０を締め上げると、ストッパーナット２５により、オートリフタ付取付台２と器具本体３は密接する。このとき本体外周全周囲にあるパッキン１３によってオートリフタ付取付台２と器具本体３の密接部の隙間はなくなり、本体つば部１１に設けたパッキン１２が天井材１０に密着して、天井裏は密閉構造となる。
【００３１】
オートリフタ付取付台２と器具本体３を取り付けた後、オートリフタの昇降部１８を下降させる。オートリフタの昇降部１８と灯具４を接続具２４により接続し、灯具４を上昇させて、器具本体３内に収納する。オートリフタ１の引き上げ力により、灯具４の枠部１５が本体つば部１１のパッキン１２に密着する。さらに枠部内部外周全周囲のパッキン１７により、さらに密閉性がアップする。
【００３２】
以上により、施工性を改善し、天井内外を密閉することができる。
【００３３】
この発明の第２の実施の形態を図５から図８に示す。すなわち、これはオートリフタ１ではなく、安定器３５を内蔵したＨＩＤランプ用埋め込み型照明器具である。この照明器具は、安定器付取付台２と筒状の本体３と灯具４を構成する反射板付枠３６の部分から構成される。安定器付取付台２には安定器ボックス３８と２ケ所のボルト取付用穴５を備え、ボルト貫通部の隙間がないように、パッキン６を備える。また安定器ボックス３８は取付具６８により安定器取付台２に取付けられ、安定器ボックス３８内には安定器３５と灯具４を構成するランプソケット２０を設け、ランプソケット２０にＨＩＤランプ２３を装着している。本体３は筒状で、天面部にはボルト貫通穴７と電源接続部４１および安定器ボックス３８が貫通する穴８を備え、開口部９には天井材１０と当接するつば部１１を備える。つば部１１と天面外周部外側全周囲にパッキン１２を備える。内側面にはキックばね受け部３７を備える。反射板付き枠３６はランプ２３を中心に位置させる反射板２２と、反射板２２の開口に取付けられる枠部１５と、キックばね受け部３７に係止するキックばね３９と、キックばね３９がキックばね受け部３７に係止した状態で開口部９に位置するように枠１５に支持されるガラスパネル１４を備え、枠１５をガラスパネル１４がパッキン１６により密閉されており、枠部内部外周全周囲にもパッキン１７を備える。
【００３４】
施工は、まず、器具施工完成状態における安定器付取付台２の位置を確認し、ストッパーナット２５をボルト２６に取り付ける。安定器付取付台２をボルト２６にナット２７で天井裏に固定する。本体３を埋め込み穴１０ａに挿入し、安定器付取付台２を取り付けたボルト２６を本体天面のボルト貫通穴７に通して、本体３のつば部１１が天井材１０に密着するように取り付ける。本体３を取り付けるナット３０を締め上げると、ストッパーナット２５により、安定器付取付台２と本体３は密接する。本体外周全周囲にあるパッキン１３によって安定器付取付台２と本体３の密接部の隙間はなくなり、本体つば部１１に設けたパッキン１２が天井材１０に密着して、天井裏は密閉構造となる。安定器付取付台２と本体３を取り付けた後、キックばね３９を本体３のキックばね受け部３７に挿入し、反射板付き枠３６を取り付ける。キックばね３９の引き上げ力により、枠部１５が本体つば部１１のパッキン１２に密着する。さらに枠部内部外周全周囲のパッキン１７により、さらに密閉性がアップする。
【００３５】
以上により、施工性を改善し、天井内外を密閉することができる。
【００３６】
この発明の第３の実施の形態を図９から図１２に示す。これは、第２の実施の形態の天井裏開閉によるランプ交換可能タイプである。安定器ボックス３８は安定器ボックス取付台２の上面に載置され、その分本体３の高さを短縮している。天井裏開閉用つまみねじ４２で安定器ボックス３８を安定器ボックス取付台２に着脱自在に取付けられており、つまみねじ４２を外すと安定器ボックス３８を外しランプ交換が可能になる。電源接続部４１は安定器ボックス３８の側部に固定されている。また安定器ボックス３８と安定器ボックス取付台２はパッキンにて密着させる。
【００３７】
この発明の第４の実施の形態を図１３から図１６に示す。すなわち、第１の実施の形態の構成に加えて、筒状本体３の天面部の取付ボルト貫通部７に本体内側方向に円錐状に突出する凸部４６を設ける。本体３を天井材１０の埋め込み穴１０ａに挿入し、ボルト２６を貫通させる際に、凸部４６がボルト２６の引き込みのガイドの機能を持つ。またパッキン６およびナット２７を凸部４６の凹み側に収納させる。オートリフタ取付台２は周壁を上向きにしている。また取付ボルト５０を貫通する突部５４も下向きにしている。
【００３８】
この発明の第５の実施の形態を図１７から図２７に示す。すなわち、これはオートリフタを内蔵したＨＩＤランプ用埋め込み型照明器具である。この照明器具は、オートリフタ付取付台２と筒状の本体３と灯具４から構成される。オートリフタ付取付台２にはオートリフタ１とともにボルト取付用穴５を２ケ所備え、ボルト貫通部の隙間がないように、パッキン６を備える。第１の実施の形態と異なる点は、本体取付部である本体取付用ボルト５０を本体接合部方向に４ケ所備える点である。
【００３９】
本体３は筒状で、天面部にはボルト貫通穴７とオートリフタ昇降部１８が貫通する穴８を備えるとともに、本体取付用ボルト５０を貫通する孔５３を錐台形状に形成した突部５４の頂部に形成し、開口部９には天井材１０と当接するつば部１１を備える。つば部１１と天面外周部外側全周囲にパッキン１２、１３を備える。
【００４０】
灯具４も第１の実施の形態の構成と同様であり、開口部９にガラスパネル１４を備え、枠部１５をガラスパネル１４がパッキン１６により密閉されており、枠部内部外周全周囲にもパッキン１７を備える。
【００４１】
施工は、まず、オートリフタ付取付台２をボルト２６にナット２７で天井裏に仮吊りする。本体３を埋め込み穴１０ａに挿入し、オートリフタ付取付台２を取り付けたボルト２６を本体天面のボルト貫通穴７に通すと共に、オートリフタ付取付台２の４ケ所の本体取付ボルト５０とナット５１にて、オートリフタ付取付台２と本体３を密接して接合する。本体天面のボルト貫通穴７に通したオートリフタ付取付台２を取り付けたボルト２６を使用して、ナット３０で締め上げることにより、本体のつば部１１が天井材１０に密着するように取り付ける。したがって、第１の実施の形態のストッパナット２５は不要である。
【００４２】
本体外周全周囲にあるパッキン１３によってオートリフタ付取付台２と本体３の密接部の隙間はなくなり、本体つば部１１に設けたパッキン１２が天井材１０に密着して、天井裏は密閉構造となる。オートリフタ付取付台２と本体３を取り付けた後、オートリフタ１の昇降部１８を下降させる。オートリフタ１の昇降部１８と灯具４の接続具２４を接続し、灯具４を上昇させて、本体３内に収納する。オートリフタ１の引き上げ力により、灯具４の枠部１５が本体つば部１１のパッキン１２に密着する。さらに枠部内部外周全周囲のパッキン１７により、さらに密閉性がアップする。
【００４３】
以上により、施工性を改善し、天井内外を密閉することができる。
【００４４】
この発明の第６の実施の形態を図２８から図３６に示す。すなわち、これは安定器を内蔵したＨＩＤランプ用埋め込み型照明器具である。この照明器具は、安定器付取付台２と筒状の本体３と反射板付枠３６の部分から構成される。安定器付取付台２には安定器ボックス３８を下面に取付けるとともにボルト取付用穴５を２ケ所備え、ボルト貫通部の隙間がないように、パッキン６を備える。とくに第２の実施の形態と異なる点は、本体取付用ボルト５０を本体接合部方向に４ケ所備え、ストッパナット２５を省略している点である。本体２は筒状で、天面部にはボルト貫通穴７と安定器ボックス３８が貫通する穴８を備えるとともに、取付ボルト５０を貫通する孔５３を円錐等の錐台形状に形成した突部５４の頂部に形成し、開口部９には天井材１０と当接するつば部１１を備える。つば部１１と天面外周部外側全周囲にパッキン１２、１３を備える。内側面にはキックばね受け部３７を備える。
【００４５】
灯具４は第２の実施の形態と同様であり、反射板付き枠３６は開口部９にガラスパネル１４を備え、枠部１５をガラスパネル１４がパッキン１６により密閉されており、枠部１５の内部外周全周囲にもパッキン１７を備え、かつキックばね３９も備えている。
【００４６】
施工は、まず、安定器付取付台２をボルト２６で天井裏に仮吊りする。本体３を埋め込み穴１０ａに挿入し、安定器付取付台２を取り付けたボルト２６を本体天面のボルト貫通穴７に通すと共に、安定器付取付台２の４ケ所の本体取付ボルト５０とナット５１にて、安定器取付台２と本体３を密接して接合する。本体外周全周囲にあるパッキン１３によって安定器付取付台２と本体３の密接部の隙間はなくなり、本体つば部１１に設けたパッキン１２が天井材１０に密着して、天井裏は密閉構造となる。安定器付取付台２と本体３と取り付けた後、キックばね３９を本体３のキックばね受け３７に挿入し、反射板付き枠３６を取り付ける。
【００４７】
キックばね３９の引き上げ力により、枠部１５が本体つば部１１のパッキン１２に密着する。さらに枠部内部外周全周囲のパッキン１７により、さらに密閉性がアップする。
【００４８】
以上により、施工性を改善し、天井内外を密閉することができる。
【００４９】
この発明の第７の実施の形態を図３７および図３８に示す。すなわち、これは取付台２に本体取付用ボルトを有する第５の実施の形態において、オートリフタ取付台２に代えて安定器ボックス取付台とし、安定器ボックス３８が安定器ボックス取付台２の上面に天井裏開閉用つまみねじ４２により取付けられて、天井裏開閉可能でランプ交換することができるタイプである。安定器ボックス３８と安定器ボックス取付台２はパッキンにて密着させる。つまみねじ４２は安定器ボックス３８の取付け片の抜止め爪付き切欠き３８ａに係止している。
【００５０】
この発明の第８の実施の形態を図３９から図４３に示す。すなわち、第５の実施の形態の構成に加えて、第４の実施の形態のように筒状本体３の天面部の取付ボルト貫通部７に本体内側方向に円錐状の凸部４６を設ける。本体３を天井の埋め込み穴に挿入し、ボルト２６を貫通させる際に、凸部４６がボルト２６の引き込みのガイドの機能を持つ。
【００５１】
この発明の第９の実施の形態を図４４から図５０に示す。すなわち、これは第５の実施の形態と同様に、オートリフタ１を内蔵したＨＩＤランプ用埋め込み型照明器具である。この照明器具はオートリフタ付取付台２と筒状の本体３と灯具４から構成される。第５の実施の形態と異なる点は本体３に貫通穴６１とだるま穴６２を設けた点である。
【００５２】
まず、オートリフタ付取付台２には長孔からなるボルト取付用穴５を２ケ所備え、ボルト貫通部の隙間がないように、パッキン６を備える。また、本体取付用ボルト５０を本体接合部方向に４ケ所備える。
【００５３】
本体３は筒状で、天面部にオートリフタ付取付台２の取付用ボルト２６及び取付ナット２７の貫通穴６１とオートリフタ付取付台２の本体取付用ボルト５０を取付ナット５１がついたままで貫通可能で本体３を回転させることにより、本体３を係合可能なたるま穴６２を備える。貫通穴６１は本体３を回転させて本体３のだるま穴６２をナット５１に係合した状態でもオートリフタ付取付台２の取付用ボルト２６及び取付ナット２７は本体３を貫通しており、本体３とは係合しない。
【００５４】
開口部９には天井材１０と当接するつば部１１を備える。つば部１１と天面外周部外側全周囲にパッキン１２、１３を備える。
【００５５】
灯具４は、ランプソケット２０と、そのソケット台２１と、反射板２２と、ランプ２３と、ソケット台２１および反射板２２を取付ける接続具２４を備え、開口部９に位置する反射板２２の開口に枠部１５を備え、開口部９に枠部１５に支持されたガラスパネル１４を備え、枠部１５をガラスパネル１４がパッキン１６により密閉されており、枠部内部外周全周囲にもパッキン１７を備える。
【００５６】
施工は、まず、オートリフタ付取付台２をボルト２６で天井裏に仮吊りする。本体３を埋め込み穴１０に挿入し、オートリフタ付取付台２を取り付けたボルト２６を本体天面のボルト貫通穴６に通すと共に、だるま穴６２にボルト５０およびナット５１を通し本体３を回してナット５１に係合し、ナット５１を締付けて、オートリフタ付取付台２の４ケ所の本体取付ボルト５０にて、オートリフタ付取付台２と本体３を密接して接合する。本体天面のボルト貫通穴６に通したオートリフタ付取付台２を取り付けたボルト２６を使用して、ナット３０で締め上げることにより、本体３のつば部１１が天井材１０に密着するように取り付ける。本体外周全周囲にあるパッキン１３によってオートリフタ付取付台２と本体３の密接部の隙間はなくなり、本体つば部１１に設けたパッキン１３が天井材１０に密着して、天井裏は密閉構造となる。オートリフタ付取付台２と本体３を取り付けた後、オートリフタ１の昇降部１８を下降させる。オートリフタ１の昇降部１８と灯具４を接続し、灯具４を上昇させて、本体３内に収納する。オートリフタ１の引き上げ力により、灯具４の枠部１５が本体つば部１１のパッキン１２に密着する。さらに枠部内部外周全周囲のパッキン１７により、さらに密閉性がアップする。
【００５７】
以上により、施工性を改善し、天井内外を密閉することができる。
【００５８】
この発明の第１０の実施の形態を図５１および図５２に示す。すなわち、第９の実施の形態において、第２の実施の形態と同様な安定器内蔵タイプである。
【００５９】
この発明の第１１の実施の形態を図５３および図５４に示す。すなわち、第１０の実施の形態において、第３の実施の形態と同様な構成であり、つまみねじ４２と安定器ボックス３８の取付部の切欠き３８ａとの係合により、天井裏に安定器ボックス３８を開閉可能としたランプ交換可能なタイプである。安定器ボックス３８と安定器ボックス取付台２はパッキン１３にて密着させる。
【００６０】
この発明の第１２の実施の形態を図５５から図６２に示す。すなわち、これはオートリフタ１を内蔵したＨＩＤランプ用埋め込み型照明器具である。この照明器具は、オートリフタ取付台２と筒状の本体３と灯具４から構成される。第１の実施の形態等と異なる点は本体３の天部に取付ボルト引込兼オートリフタ貫通穴６４を設けてオートリフタ取付台２を本体３の天部内面側に取付けたことである。
【００６１】
まず、オートリフタ付取付台２にはオートリフタ１とともにボルト取付用穴５を２ケ所の円錐台形状の下向き突部６５に備える。
【００６２】
本体３は筒状で、天面部には長孔状のボルト貫通穴７を備え、ボルト貫通部の隙間がないようにパッキン７を備える。また、オートリフタ１が貫通する穴６４を備え、本体天面内部全周囲にパッキン１３を備え、下端の開口部９には天井材１０と当接するつば部１１を備える。つば部１１と天面内面外周部全周囲にパッキン１２、１３を備える。
【００６３】
灯具４は第１の実施の形態等と同構成であり、開口部９にガラスパネル１４を備え、枠部１５をガラスパネル１４がパッキン１６により密閉されており、枠部内部外周全周囲にもパッキン１７を備える。
【００６４】
施工は、まず、本体３をボルト２６に吊り下げ、本体３のつば部１１が天井材１０に密着するようにナット３０を締め上げて取り付ける。オートリフタ付取付台２を本体内部より挿入し、オートリフタ１を本体３のオートリフタ貫通穴６４に通して、本体３を取り付けたボルト２６にボルト取付用穴５を通しナット２７で締付けて本体３に密着させて本体内部に固定する。本体３の天面内面外周部全周囲にあるパッキン１３によってオートリフタ付取付台２と本体３の密接部の隙間はなくなり、本体つば部１１に設けたパッキン１２が天井材１０に密着して、天井裏は密閉構造となる。
【００６５】
オートリフタ付取付台２と本体３を取り付けた後、オートリフタ１の昇降部１８を下降させる。オートリフタ１の昇降部１８と灯具４を接続し、灯具４を上昇させて、本体３内に収納する。
【００６６】
オートリフタの引き上げ力により、灯具４の枠部１５が本体つば部１１のパッキン１２に密着する。さらに枠部内部外周全周囲のパッキン１７により、さらに密閉性がアップする。
【００６７】
以上により、施工性を改善し、天井内外を密閉することができる。
【００６８】
この発明の第１３の実施の形態を図６３から図６９に示す。すなわち、これは第１２の実施の形態において、第１０の実施の形態と同様な安定器内蔵タイプである。この場合、安定器ボックス３８は取付台２の下面に取付けられ、電源接続部４１のみが上方に突出しているので穴６４は、単に取付ボルト引込用の穴である。
【００６９】
この発明の第１４の実施の形態を図７０から図７６に示す。すなわち、これは第１３の実施の形態において、第１１の実施の形態と同様な天井裏開閉可能で天井裏ランプ交換な可能タイプである。この場合、穴６４は取付ボルト引込兼安定器ボックス貫通用穴となる。
【００７０】
この発明の第１５の実施の形態を図７７から図８４に示す。すなわち、これはオートリフタ１を内蔵したＨＩＤランプ用埋め込み型照明器具である。この照明器具はオートリフタ付取付台２と筒状の本体３と灯具４から構成される。この実施の形態は第５の実施の形態と共通するが、本体３にボルト引込兼オートリフタ貫通穴６４を設け、取付台２を本体３の天面の内面に本体取付ボルト５０により取付ける点が異なる。
【００７１】
まず、オートリフタ付取付台２にはボルト２６およびナット３０を遊嵌する穴５を２ケ所、ボルト５０用の穴を４ケ所備える。本体３は筒状で、天面部には長孔のボルト貫通穴７を備え、ボルト貫通部の隙間がないようにパッキン６を備える。また、オートリフタ１が貫通する穴６４を中心に備え、本体天面内部全周囲にパッキン１３を備える。また、本体取付用ボルト５０を本体接合部方向に４ケ所備える。開口部９には天井材１０と当接するつば部１１を備える。つば部１１と天面内面外周部全周囲にパッキン１２を備える。
【００７２】
灯具４は第１および第５の実施の形態と同様であるが、開口部９にガラスパネル１４を備え、枠部１５をガラスパネル１４がパッキン１６により密閉されており、枠部内部外周全周囲にもパッキン１７を備える。
【００７３】
施工は、まず、本体３をパッキン６を介してナット３０によりボルト２６に吊り下げ、本体３のつば部１１が天井材１０に密着するように取り付ける。オートリフタ付取付台２を本体内部より挿入し、オートリフタ１を本体３のオートリフタ貫通穴６４に通して、オートリフタ付取付台２の本体取付用ボルト５０に対応する４ケ所の孔にボルト５０を通してナット５１で締付け本体３に密着させて本体３の内部に固定する。このときボルト２６およびナット３０は穴５を遊嵌する。本体天面内面外周部全周囲にあるパッキン１３によってオートリフタ付取付台２と本体３の密接部の隙間はなくなり、取付ボルト２６のナット３０を締め上げることにより本体つば部１１に設けたパッキン１２が天井材１０に密着して、天井裏は密閉構造となる。オートリフタ付取付台２と本体３を取り付けた後、オートリフタ１の昇降部１８を下降させる。オートリフタ１の昇降部１８と灯具４を接続し、灯具４を上昇させて、本体３内に収納する。オートリフタ１の引き上げ力により、灯具４の枠部１５が本体つば部１１のパッキン１２に密着する。さらに枠部１５の内部外周全周囲のパッキン１７により、さらに密閉性がアップする。
【００７４】
以上により、施工性を改善し、天井内外を密閉することができる。
【００７５】
この発明の第１６の実施の形態を図８５および図８６に示す。すなわち、第１５の実施の形態の安定器内蔵タイプであり、第１３の実施の形態と共通する。
【００７６】
この発明の第１７の実施の形態を図８７から図８８に示す。すなわち、第１６の実施の形態の天井裏開閉可能でランプ交換可能なタイプであり、第１４の実施の形態と共通する。
【００７７】
この発明の第１８の実施の形態を図８９から図９４に示す。すなわち、これはオートリフタ１を内蔵したＨＩＤランプ用埋め込み型照明器具である。この照明器具はオートリフタ１付筒状の電気部品取付台となる本体３ａと、つば部１１を備える外郭形成体となる本体３ｂと、灯具４から構成される。
【００７８】
オートリフタ付筒状の本体３ａには、天面にオートリフタ１を取付けるとともにボルト取付用穴７を２ケ所備え、ボルト貫通部の隙間がないように、パッキン６を備える。本体３ｂは上面開口と下端の開口部９を有して本体３ａの内側に嵌合する略環状体である筒状で、開口部９には天井材１０と当接するつば部１１を備える。つば部１１にパッキン１２を備える。
【００７９】
灯具４は第１の実施の形態と同様であるが、開口部９にガラスパネル１４を備え、枠部１５をガラスパネル１４がパッキン１６により密閉されており、枠部内部外周全周囲にもパッキン１７を備える。
【００８０】
施工は、まず、オートリフタ付筒状の本体３ａをボルト２６にナット３０で天井裏に吊り下げる。本体３ａの下面を天井材１０の下面より下に出して、本体３ｂを本体３ａの内側に挿入し連結具６７例えばねじにより固定する。本体３ａと取付けボルト２６のナット３０を本体３ｂのつば部１１が天井材１０に密着するように締め上げて取り付ける。本体３ｂの外周全周囲にあるパッキン１２が天井材１０に密着して、天井裏は密閉構造となる。本体３を取り付けた後、オートリフタ１の昇降部１８を下降させる。オートリフタ１の昇降部１８と灯具４を接続し、灯具４を上昇させて、本体３内に収納する。
【００８１】
オートリフタ１の引き上げ力により、灯具４の枠部１５が本体つば部１１のパッキン１２に密着する。さらに枠部内部外周全周囲のパッキン１７により、さらに密閉性がアップする。
【００８２】
以上により、施工性を改善し、天井内外を密閉することができる。
【００８３】
この発明の第１９の実施の形態を図９５に示す。すなわち、これは第１８の実施の形態の安定器内蔵タイプであり、第１３の実施の形態と共通する。
【００８４】
この発明の第２０の実施の形態を図９６および図９７に示す。すなわち、これは第１９の実施の形態の天井裏に開閉可能でランプ交換可能なタイプであり、第１４の実施の形態と共通する。
【００８５】
なお、各図の同じ部分は同じ内容を示し、同じ符号の個所は同じ内容または同じ機能を示すものである。
【００８６】
上記の実施の形態によれば、第４の実施の形態は本体天面にボルト誘い凸部４６が備えられていることにより、第１、第２および第３の実施の形態より本体３をボルト穴に貫通させる作業が改善される。
【００８７】
第１から第４の実施の形態は、オートリフタまたは安定器取付台２を取り付ける際に、ストッパーナット２５の位置が正確でないと、本体３の位置がずれて、本体３のつば部１１が天井材１０に密着しなくなったり、取付台２と本体３が密着しなくなったりして施工不良となる。
【００８８】
第５から第７の実施の形態はストッパーナット２５がなくても、施工が可能なものである。取付台２と本体３を密着固定させてから、本体３のつば部１１が天井材１０に密着するまでナット２７を締め上げれば施工が完了するため、第１から第４の実施の形態より施工性が改善できる。
【００８９】
第８の実施の形態は本体天面にボルト誘い凸部４６が備えられていることにより、第５から第７の実施の形態よりも本体３をボルト穴に貫通させる作業が改善される。
【００９０】
第５から第８の実施の形態は、取付台２を吊り下げるボルト２６に対して、取付台２と本体３を取り付けるためにボルトー本当たり２ケのナットを必要とする。第９から第１１の実施の形態は、本体天面の本体取付ボルト用の穴６２をだるま穴にすることにより、本体取付ボルト２６にナット２７を付けたままで、本体３を取付台２に係合することが可能となる。また、取付板取付用ボルト２６のナット２７に係合しないように孔７が貫通穴となっているためにボルトー本あたり１ケのナットでよいので、施工性が改善される。
【００９１】
第５から第８の実施の形態は取付台２と本体３を密着接合させてから、本体３のつば部１１が天井材１０に密着するまで引き上げることが必要となる。第１２から第１７の実施の形態（第１２から第１４の実施の形態は取付台２と本体３の取付ボルトが共通の場合、第１５から第１７の実施の形態は取付台２と本体３の取付ボルトが異なるの場合である。）は、本体３を先に天井裏に固定する。その際には本体３のつば部１１は天井材１０に密着して固定する。その後、オートリフタまたは安定器取付台２を本体３の内側から取付けると、取付台２と本体３の施工は完了する。また本体天面のオートリフタまたは安定器ボックス貫通穴６４から手を入れて取付ボルト２６を引き込むことが可能となる。よって、ボルト２６の引き込み性と、取付台２と本体３の施工作業が低減できるので、施工性が改善される。
【００９２】
第１８から第２０の実施の形態は、本体３のつば部１１が分離されているため、天井材１０が貼られる前に重量物の仮施工が可能となる。その際、天井材１０がないので複数の人間がボルト２６の引き込み部まで視線をもってきてボルト２６の引き込みが可能となる。天井材１０が貼られてからは、軽量なつば部１１を有する本体３ｂを本体３ａに固定するだけで良い。したがって、天井材１０が貼られた後に、天井下から埋め込み穴１０ａをのぞきこみながらボルト２６を探してボルト２６を本体３に引き込む作業より、施工性が改善される。埋め込み穴１０ａが小さく、本体３の高さが深い場合は特に改善される。
【００９３】
【発明の効果】
請求項１記載の埋め込み型照明器具によれば、器具本体に電気部品を配設した電気部品取付台と外郭形成体との２パーツから構成することにより、密閉型の防塵構造をとりながら、重量物の器具でも取り扱い重量が軽減され施工性が改善される。
【００９４】
請求項２記載の埋め込み型照明器具によれば、請求項１と同様な効果があるほか、電気部品取付台の上面側に係合する取付ボルトのストッパナットが不要になる。
【００９５】
請求項３および請求項４記載の埋め込み型照明器具によれば、請求項２と同様な効果がある。
【００９６】
請求項５記載の埋め込み型照明器具によれば、請求項２と同様な効果のほか、天井材が張られる前に電気部品取付台を仮施工でき、外郭形成体はつば部を有する軽量物であるため施工性が改善される。とくに埋め込み穴が小さく器具本体の高さが大きい場合に有効である。
【００９７】
請求項６記載の埋め込み型照明器具によれば、請求項１、請求項２、請求項３、請求項４または請求項５と同様な効果のほか、天井裏からランプ交換することが可能になる。
請求項７記載の埋め込み型照明器具によれば、請求項１または請求項２と同様な効果のほか、凸部が取付ボルトの引き込みのガイドの機能をもつ。
【図面の簡単な説明】
【図１】この発明の第１の実施の形態の施工状態の半断面側面図である。
【図２】オートリフタ付取付台と本体を外した状態の断面図である。
【図３】その部分拡大図である。
【図４】その結合状態の部分断面図である。
【図５】この発明の第２の実施の形態の施工状態の一部破断断側面図である。
【図６】安定器付取付台と本体と反射板付枠を外した状態の分解断面図である。
【図７】その部分拡大図である。
【図８】その結合状態の部分断面図である。
【図９】この発明の第３の実施の形態の施工状態の一部破断側面図である。
【図１０】安定器ボックス取付台と本体と反射板付枠を外した状態の分解断面図である。
【図１１】その部分拡大図である。
【図１２】その結合状態の部分断面図である。
【図１３】この発明の第４の実施の形態の施工状態の一部破断側面図である。
【図１４】オートリフタ付取付台と本体を外した状態の分解断面図である。
【図１５】その部分拡大図である。
【図１６】その結合状態の部分断面図である。
【図１７】この発明の第５の実施の形態の施工状態の一部破断側面図である。
【図１８】その平面図である。
【図１９】そのＡ−Ａ線断面図である。
【図２０】オートリフタ取付台をボルトに仮吊りした断面図である。
【図２１】オートリフタ付取付台と本体を外した状態の分解断面図である。
【図２２】オートリフタ付取付台と本体を結合した断面図である。
【図２３】図２０の部分拡大図である。
【図２４】図２１の部分拡大図である。
【図２５】図１９の部分拡大図である。
【図２６】図２２の部分断面図である。
【図２７】図１７の部分断面図である。
【図２８】この発明の第６の実施の形態の施工状態の一部破断側面図である。
【図２９】安定器取付台をボルトに取付けた状態の断面図である。
【図３０】その平面図である。
【図３１】安定器取付台と本体の分解断面図である。
【図３２】反射板を外した状態の分解断面図である。
【図３３】図２９の部分拡大図である。
【図３４】（ａ）は図３１の部分拡大図、（ｂ）はその結合状態の部分拡大図である。
【図３５】図３３に本体取付ナットを臨ませた部分拡大図である。
【図３６】図３３の安定器取付台に本体をナットで取付けた状態の部分拡大図である。
【図３７】この発明の第７の実施の形態の施工状態の一部破断側面図である。
【図３８】その安定器ボックス取付台の平面図である。
【図３９】この発明の第８の実施の形態の施工状態の一部破断側面図である。
【図４０】そのオートリフタ取付台の断面図である。
【図４１】その平面図である。
【図４２】オートリフタ取付台と本体の分解断面図である。
【図４３】その結合状態の部分拡大図である。
【図４４】この発明の第９の実施の形態の施工状態の一部破断側面図である。
【図４５】オートリフタ取付台をボルトに取付けた断面図である。
【図４６】オートリフタ取付台の平面図である。
【図４７】オートリフタ取付台に本体を取付ける前における図４６のＤ−Ｄ線断面図である。
【図４８】オートリフタ取付台に係止前の本体の天面を見た底面図である。
【図４９】オートリフタ取付台に係止状態の本体の天面を見た底面図である。
【図５０】図４５の部分断面図である。
【図５１】第１０の実施の形態の一部破断側面図である。
【図５２】その安定器ボックス取付台の平面図である。
【図５３】第１１の実施の形態の一部破断側面図である。
【図５４】その安定器ボックス取付台の平面図である。
【図５５】第１２の実施の形態の一部破断側面図である。
【図５６】その平面図である。
【図５７】取付ボルトに取付けられた本体の断面図である。
【図５８】その平面図である。
【図５９】オートリフタ取付台を本体に取付ける前の断面図である。
【図６０】オートリフタ取付台を本体に取付けた状態の断面図である。
【図６１】図５９の部分拡大図である。
【図６２】図６０の部分拡大図である。
【図６３】第１３の実施の形態の一部破断側面図である。
【図６４】取付ボルトに取付けられた本体の断面図である。
【図６５】その平面図である。
【図６６】安定器ボックス取付台を本体に取付ける前の断面図である。
【図６７】安定器ボックス取付台を本体に取付けた状態の断面図である。
【図６８】図６６の部分拡大図である。
【図６９】図６７の部分拡大図である。
【図７０】第１４の実施の形態の一部破断側面図である。
【図７１】その平面図である。
【図７２】取付ボルトに取付けられた本体の断面図である。
【図７３】その平面図である。
【図７４】安定器ボックス取付台を本体に取付ける前の断面図である。
【図７５】安定器ボックス取付台を本体に取付けた状態の断面図である。
【図７６】その部分拡大図である。
【図７７】第１５の実施の形態の一部破断側面図である。
【図７８】その平面図である。
【図７９】本体が取付ボルトに取付けられた状態の断面図である。
【図８０】その平面図である。
【図８１】オートリフタ取付台を本体に取付ける前の断面図である。
【図８２】オートリフタ取付台を本体に取付けた状態の一部破断側面図である。
【図８３】図８１の部分拡大図である。
【図８４】図８２の部分拡大図である。
【図８５】第１６の実施の形態の一部破断側面図である。
【図８６】その平面図である。
【図８７】第１７の実施の形態の一部破断側面図である。
【図８８】その平面図である。
【図８９】第１８の実施の形態の一部破断側面図である。
【図９０】その平面図である。
【図９１】天井材が貼られる前の仮施工状態であり、本体３ａが取付ボルトに取付けられた状態の断面図である。
【図９２】本体３ａが埋め込み穴に位置する状態の断面図である。
【図９３】本体３ａが埋め込み穴に貫通した状態の断面図である。
【図９４】本体３ｂが本体３ａに対向した状態の断面図である。
【図９５】第１９の実施の形態の一部破断側面図である。
【図９６】第２０の実施の形態の一部破断側面図である。
【図９７】その平面図である。
【図９８】従来例の半断面図である。
【図９９】その平面図である。
【符号の説明】
１    オートリフタ
２    取付台
３    本体
３ａ    本体
３ｂ    本体
４    灯具
５    ボルト取付用穴
６    パッキン
７    ボルト貫通穴
８    穴
９    開口部
１０    天井材
１１    つば部
１２    パッキン
１３    パッキン
１５    枠部
１６    パッキン
１７    パッキン
１８    昇降部
２４    接続具
２５    ストッパーナット
２６    取付ボルト
２７    ナット
３０    ナット
３６    反射板付き枠
４６    凸部
５０    本体取付用ボルト
６１    貫通穴
６２    だるま穴
６４    穴
【図１】
0004062895.tif 000002
【図２】
0004062895.tif 000003
【図３】
0004062895.tif 000004
【図４】
0004062895.tif 000005
【図５】
0004062895.tif 000006
【図６】
0004062895.tif 000007
【図７】
0004062895.tif 000008
【図８】
0004062895.tif 000009
【図９】
0004062895.tif 000010
【図１０】
0004062895.tif 000011
【図１１】
0004062895.tif 000012
【図１２】
0004062895.tif 000013
【図１３】
0004062895.tif 000014
【図１４】
0004062895.tif 000015
【図１５】
0004062895.tif 000016
【図１６】
0004062895.tif 000017
【図１７】
0004062895.tif 000018
【図１８】
0004062895.tif 000019
【図１９】
0004062895.tif 000020
【図２０】
0004062895.tif 000021
【図２１】
0004062895.tif 000022
【図２２】
0004062895.tif 000023
【図２３】
0004062895.tif 000024
【図２４】
0004062895.tif 000025
【図２５】
0004062895.tif 000026
【図２６】
0004062895.tif 000027
【図２７】
0004062895.tif 000028
【図２８】
0004062895.tif 000029
【図２９】
0004062895.tif 000030
【図３０】
0004062895.tif 000031
【図３１】
0004062895.tif 000032
【図３２】
0004062895.tif 000033
【図３３】
0004062895.tif 000034
【図３４】
0004062895.tif 000035
【図３５】
0004062895.tif 000036
【図３６】
0004062895.tif 000037
【図３７】
0004062895.tif 000038
【図３８】
0004062895.tif 000039
【図３９】
0004062895.tif 000040
【図４０】
0004062895.tif 000041
【図４１】
0004062895.tif 000042
【図４２】
0004062895.tif 000043
【図４３】
0004062895.tif 000044
【図４４】
0004062895.tif 000045
【図４５】
0004062895.tif 000046
【図４６】
0004062895.tif 000047
【図４７】
0004062895.tif 000048
【図４８】
0004062895.tif 000049
【図４９】
0004062895.tif 000050
【図５０】
0004062895.tif 000051
【図５１】
0004062895.tif 000052
【図５２】
0004062895.tif 000053
【図５３】
0004062895.tif 000054
【図５４】
0004062895.tif 000055
【図５５】
0004062895.tif 000056
【図５６】
0004062895.tif 000057
【図５７】
0004062895.tif 000058
【図５８】
0004062895.tif 000059
【図５９】
0004062895.tif 000060
【図６０】
0004062895.tif 000061
【図６１】
0004062895.tif 000062
【図６２】
0004062895.tif 000063
【図６３】
0004062895.tif 000064
【図６４】
0004062895.tif 000065
【図６５】
0004062895.tif 000066
【図６６】
0004062895.tif 000067
【図６７】
0004062895.tif 000068
【図６８】
0004062895.tif 000069
【図６９】
0004062895.tif 000070
【図７０】
0004062895.tif 000071
【図７１】
0004062895.tif 000072
【図７２】
0004062895.tif 000073
【図７３】
0004062895.tif 000074
【図７４】
0004062895.tif 000075
【図７５】
0004062895.tif 000076
【図７６】
0004062895.tif 000077
【図７７】
0004062895.tif 000078
【図７８】
0004062895.tif 000079
【図７９】
0004062895.tif 000080
【図８０】
0004062895.tif 000081
【図８１】
0004062895.tif 000082
【図８２】
0004062895.tif 000083
【図８３】
0004062895.tif 000084
【図８４】
0004062895.tif 000085
【図８５】
0004062895.tif 000086
【図８６】
0004062895.tif 000087
【図８７】
0004062895.tif 000088
【図８８】
0004062895.tif 000089
【図８９】
0004062895.tif 000090
【図９０】
0004062895.tif 000091
【図９１】
0004062895.tif 000092
【図９２】
0004062895.tif 000093
【図９３】
0004062895.tif 000094
【図９４】
0004062895.tif 000095
【図９５】
0004062895.tif 000096
【図９６】
0004062895.tif 000097
【図９７】
0004062895.tif 000098
【図９８】
0004062895.tif 000099
【図９９】
0004062895.tif 000100